(57)【特許請求の範囲】
【請求項１】
温水用容器と、この温水用容器に載置可能なドライアイス収納体と、このドライアイス収納体に形成し、且つ前記温水用容器内からドライアイスの白煙を外部に流出する流出口とを備え、
前記ドライアイス収納体には、ドライアイス片を収納し、且つ前記温水用容器内に落下可能なドライアイス片収納用ケースを設け、このドライアイス片収納用ケースは、前記温水用容器内に落下すると、前記ドライアイス片収納用ケースの側面がシート状に展開することを特徴とするドライアイスの白煙発生用装置。
【請求項２】
前記温水用容器と前記ドライアイス収納体との間に、ドライアイスの白煙を上方向に流出する噴上げ用枠体を設けたことを特徴とする請求項１のドライアイスの白煙発生用装置。
【発明の詳細な説明】
【０００１】
【産業上の利用分野】
本発明はドライアイスの白煙発生用装置、詳しくは、家庭内等において簡単・手軽にドライアイスの白煙を効果的に発生させてパーティーを盛り上げて楽しむ事ができるドライアイスの白煙発生用装置に関するものである。
【０００２】
【従来の技術】
この種、ドライアイスの白煙発生用装置は、実公昭60‐31044号公報記載のものがある。
かかる装置は、湯を注入しドライアイス片をこの湯内に落下させ、ドライアイスの白煙を発生させる湯槽と、この湯槽内の上方に落下可能に架設されるドライアイス片を収納するドライアイス収納ケースと、湯槽の上面に湯槽内で発生して充満したドライアイスの白煙を流出させる流出口を形成して載置してなる受台とを備えてなる。
【０００３】
【発明が解決しようとする課題】
この装置では、湯を注入した湯槽内にドライアイス収納ケースを落下させて、ドライアイスの白煙が発生するようになっているが、ドライアイス収納ケースが湯槽内に落下しても、ドライアイス収納ケースはケース状を保っているので、ドライアイス収納ケース内のドライアイス片が湯槽内の湯に浸漬しずらく、ドライアイスの白煙発生量も満足する量ではない。
湯槽内にドライアイス収納ケースを落下させた際、満足するドライアイスの白煙が効果的に発生するのが望ましい。
【０００４】
その上、ドライアイス収納ケースが湯槽内に落下しても、ドライアイス収納ケースはケース状を保っているので、好ましいドライアイスの白煙が発生するには、湯槽内にドライアイス収納ケースの側面の高さ以上の湯を注入しなければならず、少量の湯ではドライアイスの白煙が発生しずらく、ドライアイスの白煙発生が楽しめない。
【０００５】
本発明は、かかる点に鑑みなされたもので、家庭内等おいて簡単且つ手軽にドライアイスの白煙を効果的に発生させて楽しむ事ができるドライアイスの白煙発生用装置を提供することを目的とする。
【０００６】
【課題を解決するための手段】
かかる目的を達成すべく、本発明にかかるドライアイスの白煙発生用装置は、温水用容器と、この温水用容器に載置可能なドライアイス収納体と、このドライアイス収納体に形成し、且つ前記温水用容器内からドライアイスの白煙を外部に流出する流出口とを備え、
前記ドライアイス収納体には、ドライアイス片を収納し、且つ前記温水用容器内に落下可能なドライアイス片収納用ケースを設け、このドライアイス片収納用ケースは、前記温水用容器内に落下すると、前記ドライアイス片収納用ケースの側面がシート状に展開することを特徴とする。
【０００７】
かかる構成では、ドライアイス片収納用ケースは、前記温水用容器内に落下すると、その側面がシート状に展開するので、ドライアイス片収納用ケース内のドライアイス片が湯槽内の湯に確実に浸漬し、ドライアイスの白煙が効果的に発生する。
【０００８】
温水用容器と前記ドライアイス収納体との間に、ドライアイスの白煙を上方向に流出する噴上げ用枠体を設けることが好ましい。
【０００９】
かかる構成では、ドライアイスの白煙は、噴上げ用枠体により、ドライアイス収納体の流出口から上方向に流出するので、ドライアイスの白煙の発生を楽しむことができる。
【００１０】
【発明の実施の形態】
本発明にかかる一実施例を図1乃至図７に基ずき説明する。
本実施例におけるドライアイスの白煙発生用装置１は、図1に示す様に、温水用容器３と、この温水用容器３に載置可能なドライアイス収納体２と、このドライアイス収納体２に形成し、且つ温水用容器３内からドライアイスの白煙を外部に流出する流出口２３ａとを備え、ドライアイス収納体２には、ドライアイス片を収納し、且つ温水用容器３内に落下可能なドライアイス片収納用ケース２２を設け、このドライアイス片収納用ケース２２は、温水用容器３内に落下すると、ドライアイス片収納用ケース２２の側面がシート状に展開する構成を備えている。
【００１１】
最初に、温水用容器３について説明する。
この温水用容器３は、その上面に開口部３ａが形成されたケース状からなり、開口部３ａの周囲にはドライアイス収納体２を載置する為の受部３ｂが設けられている。
更に、この温水用容器３の底面部３ｃの形状は、ドライアイス片収納用ケース２２が温水用容器３内に落下した際、ドライアイス片収納用ケース２２の側面がシート状に展開するに十分な大きさから成っている。
この温水用容器３には、その内部に温水、ドライアイスを入れる為、耐熱性、耐水性、保温性がある素材からなり、例えば、発泡スチロールから成っている。
【００１２】
この温水用容器３に載置可能なドライアイス収納体２は、温水用容器３の受部３ｂに載置可能で、且つドライアイス片収納用ケース２２が温水用容器３内に落下可能に保持する枠体２３と、温水用容器３内に落下可能なドライアイス片収納用ケース２２と、ドライアイス片収納用ケース２２と枠体２３とを覆う蓋体２１とからなっている。
【００１３】
枠体２３は、上枠部２３ｂと、この上枠部２３ｂの下部に形成された下枠部２３ｃとからなり、その枠体内形状がケース状のドライアイス片収納用ケース２２が自重により温水用容器３内に落下可能な形状からなっている。
【００１４】
枠体２３の下枠部２３ｃは、枠体２３を温水用容器３の受部３ｂに載置した際、枠体２３の下枠部２３ｃと温水用容器３の受部３ｂとの間に、温水用容器３内からドライアイスの白煙を外部に流出する流出口２３ａを形成すべく、枠体２３の下枠部２３ｃの外形が温水用容器３の受部３ｂよりも内側に形成されている。
【００１５】
さらに、枠体２３の下枠部２３ｃにおける４角部分には、ドライアイス収納体２を温水用容器３の受部３ｂに載置した際、枠体２３を温水用容器３の受部３ｂに載置支持する支持部２３ｄ、２３ｄ・・が形成されている。
その為、枠体２３は、下枠部２３ｃの４角部分に形成された支持部２３ｄ、２３ｄ・・により温水用容器３の受部３ｂに載置している。
【００１６】
従って、温水用容器３内からドライアイスの白煙を外部に流出する流出口２３ａは枠体２３の４側面に位置することとなり、枠体２３の４側面からドライアイスの白煙を外部に流出することができる。
【００１７】
ドライアイス片収納用ケース２２は、底面部２２ａと、この底面部２２ａに連続する側面部２２ｂ、２２ｂ、２２ｂ、２２ｂとから成り、隣接する側面部２２ｂは互いに分離してなり、シート状に展開する事ができる。。
その為、ドライアイス片収納用ケース２２は、その側面部２２ｂ・・を折り曲げるとケース状になり、内部にドライアイス片を収納する事ができる。
【００１８】
従って、ドライアイス収納体２の枠体２３にドライアイス片収納用ケース２２を収納する際には、ドライアイス片収納用ケース２２の側面部２２ｂを折り曲げてケース状としている。
【００１９】
このドライアイス片収納用ケース２２は、温水用容器３内に落下すると、その隣接する側面部２２ｂは互いに分離してなるので、側面部２２ｂが展開してシート状になる。
【００２０】
ドライアイス片収納用ケース２２の側面部２２ｂ・・には、温水用容器３内に落下した際、ドライアイス片収納用ケース２２の内部に温水が流入しやすい様に流入孔２２ｃが形成されている。
【００２１】
更に、ドライアイス片収納用ケース２２の互いに対向する側面部２２ｂ、２２ｂには、隣接する側面部２２ｂ、２２ｂに重なり合う延出部２２ｄが形成され、ケース状のドライアイス片収納用ケース２２を補強している。
このドライアイス片収納用ケース２２は厚紙から形成しているが、シート状に展開する事ができれば、その素材は厚紙に限られない。
【００２２】
なお、これら流入孔２２ｃ、延出部２２ｄは側面部２２ｂに形成する事が好ましい。
【００２３】
次に、ドライアイス片収納用ケース２２と枠体２３とを覆う蓋体２１につき説明する。
【００２４】
この蓋体２１は、その中央にはドライアイス片収納用ケース２２にドライアイス片を入れる為の開閉可能な蓋部２１ａと、ドライアイス片収納用ケース２２の落下を防止する紐４が通過する通孔２１ｂ、２１ｂとが形成されている。
その為、図２に示す様に、紐４により蓋体２１、ドライアイス片収納用ケース２２、枠体２３を一体化し、図３に示す様に、これらを温水用容器３に載置することができる。
なお、５は化粧紙で、温水用容器３の外面を覆うと、かかる装置の見栄えが良くなる。
【００２５】
かかる構成によれば、湯水を温水用容器３に注入する。そして、図２に示す様に、紐４により蓋体２１、ドライアイス片収納用ケース２２、枠体２３を一体化し、図３のように、蓋体２１、ドライアイス片収納用ケース２２、枠体２３を温水用容器３に載置する。
【００２６】
枠体２３の下枠部２３ｃにおける４角部分には、ドライアイス収納体２を温水用容器３の受部３ｂに載置した際、枠体２３を温水用容器３の受部３ｂに載置支持する支持部２３ｄ、２３ｄ・・が形成されているので、蓋体２１、ドライアイス片収納用ケース２２、枠体２３は、確実に温水用容器３に載置することができる。
【００２７】
なお、ドライアイス片収納用ケース２２は自重により温水用容器３に落下可能であるが、紐４により蓋体２１等と一体化しているので、紐４を抜き取らない限りは、ドライアイス片収納用ケース２２は自重により温水用容器３に落下することはない。
【００２８】
そして、蓋体２１は、その中央にドライアイス片収納用ケース２２にドライアイス片を入れる為の開閉可能な蓋部２１ａが形成されているので、この蓋部２１ａを開き、ドライアイス片収納用ケース２２内にドライアイス片を入れ、蓋部２１ａを閉じる。
【００２９】
その後、紐４を抜き取ると、ドライアイス片収納用ケース２２は温水用容器３に落下する。
すると、ドライアイス片収納用ケース２２の隣接する側面部２２ｂは、互いに分離してなるので、ケース状のドライアイス片収納用ケース２２の側面部２２ｂが展開し、図４に示す様に、ケース状のドライアイス片収納用ケース２２がシート状となる。
【００３０】
ドライアイス片収納用ケース２２内のドライアイス片は温水用容器３の湯水に浸漬することとなり、ドライアイスの白煙が急激・大量に発生する。
枠体２３の下枠部２３ｃと温水用容器３の受部３ｂとの間には、温水用容器３内からドライアイスの白煙を外部に流出する流出口２３ａを形成しているので、温水用容器３内の白煙が流出口２３ａから外部に流出する。
【００３１】
この流出する白煙により、家庭内等において簡単・手軽にドライアイスの白煙を効果的に発生させてパーティーを盛り上げて楽しむ事ができる。
蓋体２１上に、例えば、ケーキを載置し、ドライアイスの白煙を発生させると、パーティーを盛り上げて楽しむことができる。
【００３２】
図５乃至図７は他の実施例で、前記実施例とは、温水用容器３とドライアイス収納体２との間に、ドライアイスの白煙を上方向に流出する噴上げ用枠体６を設ける構成を異にしているので、噴上げ用枠体６につき説明する。
【００３３】
噴上げ用枠体６は、図５，図６に示す様に、中央に温水用容器３の開口部３ａと略同形からなる開口を形成し、且つ温水用容器３の受部３ｂに載置する載置部６ａと、載置部６ａの外端から上方向に延出する上片部６ｂからなっている。
この上片部６ｂの内側面には均等な噴出しの為の隙間を保つガイド部６ｃが適宜の間隔で複数箇所に設けられている。
【００３４】
かかる構成では、図５に示す様に、温水用容器３に噴上げ用枠体６を載置する。
そして、前述の実施例と同様に、紐４により蓋体２１、ドライアイス片収納用ケース２２、枠体２３を一体化し、蓋体２１、ドライアイス片収納用ケース２２、枠体２３を噴上げ用枠体６、温水用容器３に載置する。
その後、紐４を抜き取ると、ドライアイス片収納用ケース２２は温水用容器３に落下する。
【００３５】
ドライアイスの白煙は、噴上げ用枠体６により、ドライアイス収納体２の流出口２３ａから噴上げ用枠体６の上片部６ｂに沿って上方向に流出するので、ドライアイスの白煙の発生を異なる流出により楽しむことができる。
【００３６】
【発明の効果】
本発明にかかるドライアイスの白煙発生用装置によれば、温水用容器と、この温水用容器に載置可能なドライアイス収納体と、このドライアイス収納体に形成し、且つ温水用容器内からドライアイスの白煙を外部に流出する流出口とを備え、ドライアイス収納体には、ドライアイス片を収納し、且つ温水用容器内に落下可能なドライアイス片収納用ケースを設け、このドライアイス片収納用ケースは、温水用容器内に落下すると、前記ドライアイス片収納用ケースの側面がシート状に展開するため、ドライアイス片収納用ケース内のドライアイス片が湯槽内の湯に確実に浸漬し、ドライアイスの白煙が効果的に発生する。
【００３７】
又、本発明によれば、温水用容器とドライアイス収納体との間に、ドライアイスの白煙を上方向に流出する噴上げ用枠体を設けているので、ドライアイスの白煙は、噴上げ用枠体により、ドライアイス収納体の流出口から上方向に流出し、異なるドライアイスの白煙の発生を楽しむことができる。
【図面の簡単な説明】
【図１】本発明にかかるドライアイスの白煙発生用装置の分解斜視図である。
【図２】図１に示すドライアイスの白煙発生用装置の組立前状態の斜視図である。
【図３】図１に示すドライアイスの白煙発生用装置の組立後の斜視図である。
【図４】図３に示すドライアイスの白煙発生用装置の断面図である。
【図５】本発明にかかるドライアイスの白煙発生用装置の他の実施例で、組立前状態の斜視図である。
【図６】図５に示すドライアイスの白煙発生用装置における噴上げ用枠体の斜視図である。
【図７】図５に示す白煙発生用装置の組立後の断面図である。
【符号の説明】
１はドライアイスの白煙発生用装置
２はドライアイス収納体
３は温水用容器
６は噴上げ用枠体
２２はドライアイス片収納用ケース
【図１】
0004828736.tif 000002
【図２】
0004828736.tif 000003
【図３】
0004828736.tif 000004
【図４】
0004828736.tif 000005
【図５】
0004828736.tif 000006
【図６】
0004828736.tif 000007
【図７】
0004828736.tif 000008